(57)【特許請求の範囲】
【請求項１】
液体を流すための管路の途中に介挿された流量調整弁であって、上流側と下流側の管路が接続された弁室の床面に開口する少なくとも一方の管路開口を塞いだ状態で回動自在な平板状の弁体を上記弁室内に配置し、上記管路開口に対向する位置における溝幅が上記弁体の回動と共に変化するスリットを上記弁体に形成して、液体が上記スリットを通って上記弁室内と上記管路開口との間を流れるようにしたものにおいて、
上記平板状の弁体の側端面にピンを突設すると共に、上記弁体が全開位置に回動されたときに上記ピンが乗り上げる状態に上記弁室の床面に斜面カムを突設し、
上記弁体が全開位置に回動したとき、上記ピンが上記斜面カムに乗り上げることにより、上記弁体が傾いて上記平板状の弁体の平面部分と上記管路開口部との間に隙間が形成されて、上記液体が上記隙間を通って上記弁室内と上記管路開口との間を流れるようにしたことを特徴とする流量調整弁。
【発明の詳細な説明】
【０００１】
【産業上の利用分野】
この発明は、液体を流すための管路の途中に介挿されて流量調節を行う流量調整弁に関する。
【０００２】
【従来の技術】
液体の流量調整弁には各種の方式があるが、弁体を小角度回動させて正確な流量調節を行う場合には、上流側と下流側の管路が接続された弁室に開口する一方の管路開口を塞いだ状態で回動自在な平板状の弁体を弁室内に配置し、その管路開口に対向する位置における溝幅が弁体の回動と共に変化するオタマジャクシ状のスリットを弁体に形成して、弁体を回動させたときの、開口に対向する位置のスリット幅の変化によって流量を調節するようにしている（実開平３−１００５０９号）。
【０００３】
【発明が解決しようとする課題】
上述のような流量調整弁を用いれば、小さな回転角度で弁体を回動させて、液体の流量調節を比較的正確に行うことができる。
【０００４】
しかし、弁を全開状態にするためには、オタマジャクシ状のスリットの大径部分が管路開口に対向する位置まで弁体を回動させなければならないので、流量が比較的少ない調節状態から急激に全開状態にすることはできない。
【０００５】
そのため、例えば空調装置の放熱器に対する温水流量制御の場合などのように、放熱量変化をリニアにするために全開時には弁を急激に全開にしたいような使用目的に対しては、希望通りの性能を得ることができなかった。
【０００６】
そこで本発明は、管路開口に対向する弁体のスリット幅が弁体の回動と共に変化するようにした流量調整弁において、流量が比較的少ない調節状態から急激に全開状態にすることのできる流量調整弁を提供することを目的とする。
【０００７】
【課題を解決するための手段】
上記の目的を達成するため、本発明の流量調整弁は、液体を流すための管路の途中に介挿された流量調整弁であって、上流側と下流側の管路が接続された弁室に開口する少なくとも一方の管路開口を塞いだ状態で回動自在な弁体を上記弁室内に配置し、上記管路開口に対向する位置における溝幅が上記弁体の回動と共に変化するスリットを上記弁体に形成して、液体が上記スリットを通って上記弁室内と上記管路開口との間を流れるようにしたものにおいて、上記弁体を全開位置に回動させたときに上記弁体を上記管路開口部から離れる方向に変位させて上記弁体と上記管路開口部との間に隙間を生じさせる弁体変位手段を設けて、上記液体が上記隙間を通って上記弁室内と上記管路開口との間を流れるようにしたことを特徴とする。
【０００８】
なお、上記弁体変位手段は、上記弁体が全開位置に回動されたときに斜面カムに乗り上げるように配置されたホロアーと上記斜面カムであって、上記弁体を傾けることによって上記弁体と上記管路開口部との間に隙間を形成するように設けられているようにしてもよい。
【０００９】
【作用】
弁体を全開位置に回動させると、弁体変位手段が、弁体を管路開口部から離れる方向に変位させて、液体が、弁体と管路開口部との間に生じる隙間を通って弁室内と管路開口との間を流れる。
【００１０】
弁体変位手段を斜面カムとホロアーで構成すれば、弁体が全開位置に回動されたときにホロアーが斜面カムに乗り上げることによって、弁体が傾いて管路開口部から離れ、両者の間に隙間ができる。
【００１１】
【実施例】
図面を参照して実施例を説明する。
図２は、弁が閉じた状態の流量調整弁の内部構造を示す平面断面図、図３はそのIII−III断面図、図４はIV−IV断面図である。
【００１２】
本体ブロック１の上面部と蓋体２との間の空間には、密閉された弁室３が形成されていて、上流側から下流側に液体が流される上流側管路４と下流側管路５とが、各々弁室３の床面に開口している。
【００１３】
４ａは上流側管路の開口、５ａは下流側管路の開口であり、下流側管路の開口５ａの周囲には環状のシール材６が装着されている。矢印は液体の流れ方向を示しているが、弁が閉じた状態では液体は流れないので、各矢印は破線にしてある。
【００１４】
弁室３内には、平板状の弁体７が、回転自在な回転軸８に連結されて配置されていて、回転軸８を外部から回転させることにより、弁体７が弁室３内で回動する。
【００１５】
回転軸８は、その軸心から上流側と下流側の両管路開口４ａ，５ａの各中心に向かって引いた線がほぼ直角に交わる位置に配置されている。弁体７は、図２に示されるように、両管路開口４ａ，５ａを同時に塞ぐ程度の扇形に形成されていて、弁を閉じた状態では、弁体７が両方の管路開口４ａ，５ａに対向している。
【００１６】
そして、弁体７と回転軸８とは、図３及び図４に示されるように、小さな連結ピン９によって連結されていて、弁体７が連結ピン９を中心にして自由に傾くことができるようになっている。
【００１７】
弁体７には、回転軸８の軸心を中心として両管路開口４ａ，５ａの中心までの距離を半径とする円上に、足のないオタマジャクシ状のスリット１０が穿設されている。スリット１０の溝幅は、下流側管路の開口５ａに近い側が狭く、上流側の管路開口４ａに近い側が広く形成されている。
【００１８】
図２に示されるように、閉弁状態ではスリット１０が下流側管路の開口５ａに対向する位置にかからないように形成されており、弁体７が下流側管路の開口５ａを囲むシール材６に液体の圧力で密着して、下流側管路の開口５ａが完全に閉じられる。
【００１９】
弁体７の側端面には、連結ピン９と直交する方向にピン１１が外方に向けて突設されており、弁が閉じた状態では、ピン１１は上流側の管路開口４ａの近くに位置している。
【００２０】
弁室３の床面には、斜面カム１２が下流側の管路出口５ａの外側位置に突設されている。図２では、斜面が斜線で示されている。斜面カム１２は弁体７の外周に沿う位置に配置されていて、図５に示されるように、回転軸８を回転させて弁体７を矢印Ａ方向に回動させることにより、ピン１１が斜面カム１２に近づく方向に移動する。
【００２１】
弁体７をその方向に回動させると、スリット１０が下流側管路の開口５ａの対向する位置に来るので、上流側管路４から弁室３に入ってくる液体が、スリット１０を通って弁室３から下流側管路５に流れ始める。
【００２２】
そして、弁体７の回動角度を大きくすると、下流側管路の開口５ａに対向する位置のスリット１０の幅が次第に広がるので、液体の流量が次第に多くなる。ただし、スリット１０の最大幅は下流側管路の開口５ａの直径より相当に狭いので、スリット１０を通過して下流側管路の開口５ａに入る液体の絶対流量は比較的少ない。
【００２３】
しかし、弁体７を最後の最大流量状態まで回動させると、図６に矢印Ｂで示されるように弁体７が回動して、ピン１１が斜面カム１２に乗り上げ、矢印Ｃで示されるように弁体７が持ち上げられる。したがって、ピン１１は斜面カム１２のホロアーである。
【００２４】
図１と図７はその状態を示しており、図１に示されるように、弁体７は斜面カム１２で持ち上げられることによって連結ピン９を中心に傾き、下流側管路の開口５ａのシール材６との間に隙間ができる。その結果、弁室３内の液体が、スリット１０を通過するだけでなく、矢印Ｃに示されるようにその隙間を通って弁室３から下流側管路の開口５ａ内に流れ込む。
【００２５】
一方、図７に示されるように、上流側の管路開口４ａは、弁体７の移動によって弁室３にほぼ完全に開口している。したがって、上流側管路４から弁室３内への液体流入には何の抵抗もない。
【００２６】
図８は、上記実施例装置の弁体７の回転角度に対する流量の関係を示しており、弁体７が斜面カム１２によって持ち上げられ始めるＭ点までは、流量変化が比較的少ないが、弁体７が斜面カム１２によって持ち上げられると急激に流量が増大して全開状態に達する。
【００２７】
なお、本発明は上記実施例に限定されるものではなく、例えば、斜面カム１２を弁体７に設けてホロアーを弁室３側に設けてもよく、弁体７を傾けるのでなく平行に移動させるようにしてもよい。また、弁体７を上流側の管路開口４ａに対向して配置して、弁体７が浮き上がらないような補強をしてもよい。
【００２８】
【発明の効果】
本発明によれば、弁体を全開位置に回動させると、弁体が管路開口部から離れるように変位して両者の間に隙間ができ、液体がその隙間を通って弁室内と管路開口との間を流れるようになるので、流量が比較的少ない調節状態から急激に全開状態にすることができて、使用上の必要に対応した所望の流量特性を得ることができる。
【００２９】
そして、弁体が全開位置に回動されたときに、ホロアーが斜面カムに乗り上げることにより弁体が傾いて管路開口との間に隙間ができるようにすれば、本発明を非常に簡単に構成することができる。
【図面の簡単な説明】
【図１】実施例の全開状態の側面断面図である。
【図２】実施例の全閉状態の平面断面図である。
【図３】実施例の全閉状態の正面（III−III）断面図である。
【図４】実施例の全閉状態の側面（IV−IV）断面図である。
【図５】実施例の部分斜視図である。
【図６】実施例の全開状態の部分斜視図である。
【図７】実施例の全開状態の平面断面図である。
【図８】実施例の流量特性線図である。
【符号の説明】
３  弁室
４  上流側管路
５  下流側管路
５ａ  下流側管路の開口
７  弁体
８  回転軸
１０  スリット
１１  ピン
１２  斜面カム
【図１】
0003655335.tif 000002
【図２】
0003655335.tif 000003
【図３】
0003655335.tif 000004
【図４】
0003655335.tif 000005
【図５】
0003655335.tif 000006
【図６】
0003655335.tif 000007
【図７】
0003655335.tif 000008
【図８】
0003655335.tif 000009